(57)【特許請求の範囲】
【請求項１】
３色ＬＥＤを備えた照明用３色ＬＥＤ群を備え、周囲環境の照度を検出する照度センサと、人を検知する人感センサとを用いて、前記照明用３色ＬＥＤ群の照明光を制御するＬＥＤ照明器具であって、
前記照明用３色ＬＥＤ群を予め決めた設定色で点灯させる第１の点灯制御部と、前記設定色で点灯している状態で、前記人感センサが周囲環境照度がある照度値以下で人を検知したとき、人を検知後の所定期間は前記照明用３色ＬＥＤ群を白色で点灯させる第２の点灯制御部と、前記所定期間を経過後に前記照明用３色ＬＥＤ群を元の設定色で点灯させる第３の点灯制御部とを備えた点灯制御部と、
ユーザ操作に基づいて前記設定色をリング式に順次切換えるための切換えコマンドを生成する点灯状態設定部と、
を具備し、
前記照度センサは、周囲環境照度検出用の第１の照度センサの機能のほかに、前記切換えコマンド発生用の第２の照度センサの機能を兼用しており、
前記点灯状態設定部は、予め照明用３色の各色ごとに明るさのＰＷＭのデューティ比をパラメータとしてメモリに３色合成された前記設定色を複数色記憶させておいて前記照度センサへの入光量を急変させるユーザ操作を、前記入光量の１回の低下及び上昇の判定並びにこの判定に要する時間が所定の時間内であることの判定を前記第２の照度センサの機能を利用して行うことで検出して、前記設定色をリング式に切換える前記切換えコマンドを発生させ、記憶された複数色から所望の設定色をリング式に切換えて呼び出すことを特徴とする調色型ＬＥＤ照明器具。
【発明の詳細な説明】
【技術分野】
【０００１】
本発明は、好みの発光色を自在に作成して、複数の発光色を切り替えて点灯させることが可能な調色型ＬＥＤ照明器具に関するものである。
【背景技術】
【０００２】
従来より、光の３原色を混色することで、あらゆる色の光を発光させることは公知であり、この技術を応用したＬＥＤ照明器具は既に市販されている。
【先行技術文献】
【特許文献】
【０００３】
【特許文献１】特開２００７−２９４２５９号公報
【発明の概要】
【発明が解決しようとする課題】
【０００４】
市販されている調色型ＬＥＤ照明器具の点灯時の色を変えたい時は一般に各色の電流調整用可変抵抗器を操作して希望する発光色を得るか、単純にスイッチにて原色を切り替えている。好みの発光色を何色も得たい場合、その色を再現させるのは至難の業である。
【０００５】
この問題を解消するため、本発明は、好みの発光色を自在に作成して再現でき、かつ複数の発光色を切り替えて点灯させることが可能な調色型ＬＥＤ照明器具を提供することを目的とする。さらに、本発明は、発光色を切り替える際、赤外線リモコン等の器具を用いることなく、機器組み込みの照度センサ等々の部品を利用して指示して簡単に照明器具の発光色を切り替えることが可能な調色型ＬＥＤ照明器具を提供することを目的とする。
【課題を解決するための手段】
【０００６】
本発明の一態様による調光型ＬＥＤ照明器具は、３色ＬＥＤを備えた照明用３色ＬＥＤ群を備え、周囲環境の照度を検出する照度センサと、人を検知する人感センサとを用いて、前記照明用３色ＬＥＤ群の照明光を制御するＬＥＤ照明器具であって、前記照明用３色ＬＥＤ群を予め決めた設定色で点灯させる第１の点灯制御部と、前記設定色で点灯している状態で、前記人感センサが周囲環境照度がある照度値以下で人を検知したとき、人を検知後の所定期間は前記照明用３色ＬＥＤ群を白色で点灯させる第２の点灯制御部と、前記所定期間を経過後に前記照明用３色ＬＥＤ群を元の設定色で点灯させる第３の点灯制御部とを備えた点灯制御部と、ユーザ操作に基づいて前記設定色をリング式に順次切換えるための切換えコマンドを生成する点灯状態設定部と、を具備し、前記照度センサは、周囲環境照度検出用の第１の照度センサの機能のほかに、前記切換えコマンド発生用の第２の照度センサの機能を兼用しており、前記点灯状態設定部は、予め照明用３色の各色ごとに明るさのＰＷＭのデューティ比をパラメータとしてメモリに３色合成された前記設定色を複数色記憶させておいて前記照度センサへの入光量を急変させるユーザ操作を、前記入光量の１回の低下及び上昇の判定並びにこの判定に要する時間が所定の時間内であることの判定を前記第２の照度センサの機能を利用して行うことで検出して、前記設定色をリング式に切換える前記切換えコマンドを発生させ、記憶された複数色から所望の設定色をリング式に切換えて呼び出す。
【図面の簡単な説明】
【０００８】
【図１】本発明の第１の実施形態に係る調色型ＬＥＤ照明器具の構成の一例を示す図。
【図２】第１の実施形態の人感切替点灯式の調色型ＬＥＤ照明器具における、制御部であるマイコンの制御プログラムを説明するフローチャート。
【図３】図２におけるＰＤタッチのルーチンを説明するフローチャート。
【図４】本発明の第２の実施形態の人感点灯式の調色型ＬＥＤ照明器具における、制御部であるマイコンの制御プログラムを説明するフローチャート。
【図５】図４におけるＰＤタッチのルーチンを説明するフローチャート。
【図６】図６乃至図１１は既出願の照度センサによる照明点灯制御方法を説明する図であり、図６は照明器具における一般的な外光取り入れ口の構成例を示す図。
【図７】フォトダイオードを利用した照度センサの照度対光電流の特性を示す図。
【図８】フォトダイオードを利用した照度センサの照度計測回路の構成を示す図。
【図９】フォトダイオードを利用した照度センサの外光取り入れ口を指で塞いだ際の、照度変化特性を示す図。
【図１０】フォトダイオードを利用した照度センサの外光取り入れ口を指で塞いだ際の、詳細な照度変化特性を示す図。
【図１１】照度センサの照度変化特性から、センサ正面を人体や物体が比較的長時間塞いだような状態と区別して、外光取り入れ口を人が操作目的で指で塞いだ状態を識別判定する方法の一例を説明する図。
【図１２】本発明の第３の実施形態を実現するための機械的スイッチの接続構成の一例を示す図。
【発明を実施するための形態】
【０００９】
以下、本発明の実施の形態について図面を参照して詳細に説明する。  
図６乃至図１１は、以下に述べる本発明の実施形態に係る調色型ＬＥＤ照明器具の基礎となる技術を説明する図である。図６は従来の構成例でもあるが、本発明の第１の実施形態においても、一般的な構成例として採用している。この基礎となる技術は、ＬＥＤに流す電流のパルス幅のデューティ比を変えて調色制御する際に、照度センサの採光部を指先で一定時間押さえ、照度センサに外光を遮蔽する行為を行うことによって調色指令とする例も含んでいる（ＰＤタッチと呼称し、本技術は特願２０１０−２２９０２２号明細書(未公開)に記載されている）。
【００１０】
図６において、(a)は照明器具の正面図の一部を示し、(b)は(a)のＡ−Ａ線断面図を示している。外光は化粧板５２に空けた丸穴に挿着された外光導入ガイド５１を通過してプリント基板５３上の照度センサＩＣ4に受光される。
【００１１】
図７はフォトダイオードを利用した照度センサの照度対光電流の特性を示す。照度センサＩＣ4の出力端子に図８のように抵抗ＲLを接続し、照度センサＩＣ4のカソードを電源Ｖddに接続すると、抵抗ＲLの両端には周辺照度に比例した出力が発生し、この出力をマイコンＩＣ3のＡＤ変換入力端子に接続する。
【００１２】
実際の照明器具では図６に示すように照度センサＩＣ4が取り付けられており、照度センサＩＣ4の上部に円柱形のアクリル樹脂５１が装着され、照明器具の外部の周辺の光が照度センサＩＣ4に取り込まれるようになっている。円柱形のアクリル樹脂５１を含む外光取り込れ口の上部を指等で塞ぐと図９のように照度センサＩＣ4の出力は大きく変化する。
【００１３】
マイコンＩＣ3のＡＤ変換サイクル(ＡＤ変換のサンプリング周期と同義)をＴad秒とすると１秒間に１／Ｔad回照度センサＩＣ4の出力がＡＤ変換される。図１０は、フォトダイオードを利用した照度センサの外光取り入れ口を指で塞いだ際の、照度変化特性の状態を示している。同図で‘イ’の状態が照度センサＩＣ4を指で塞ぐ前の状態とし、‘ロ’が完全に塞がれて照度センサの出力が最低値を示す状態で、‘ハ’は指が離され元の状態に戻った状態を示す。
【００１４】
‘イ’の状態から一定以上の電圧変化が発生したら、照度センサの外光取り入れ口が指で塞がれ、その後外光取り入れ口の状態が元に復帰された状態をマイコンＩＣ3のＡＤ変換値を処理しその結果を見ることによって、なんらかの動作を指示する指令信号とすることができる。このようにすれば、照明器具に操作用のツマミ類が無くても、指操作に基づく照度センサ出力の独特の変化特性(図９参照)から、照明器具の点灯状態を変化させる指令(コマンド)となる制御信号を得ることが可能となる。
【００１５】
図１０からも分かるように、各サイクル毎のＡＤ変換データを比較しただけでは．ゆっくりとした照度センサの出力変化を判断できない。そこで、ＡＤ変換データをｎ個保持する即ち、現時点ｔ＝０時からｔ＝ｎ／Ｔad前の過去のＡＤ変換データまでをマイコンＩＣ3のＲＡＭ領域に記憶させて、毎サイクル毎に１つ前のサイクルの古いデータを順送りにシフトして上書きする。このようにすれば、常に現時点からｎ／Tad時間前までのｎ個のデータが保存される。ここで各サイクル毎にｔ＝０とｔ＝−ｎ／Ｔadの両端のデータを比較して両端のデータの差が一定値を超せば、照度センサＩＣ4の出力が急変したと判断することが可能である。外光取り入れ口を人が操作目的で比較的短時間指で塞いだ時は、照度センサＩＣ4の出力が急変するので、これによって人が操作目的で外光取り入れ口を指で塞いだと判定可能であることを、図１１を参照しながら以下に説明する。
【００１６】
図１１は、照度センサの照度変化特性から、センサ正面を人体や物体が比較的長時間塞いだような状態と区別して、外光取り入れ口を人が操作目的で指で塞いだ状態を識別判定する方法の一例を説明する図である。今、照度センサの外光取り入れロに指を近づけた時点を(1)とすると、この時点ではＡＤ変換データをｎ個保持する期間(即ち、ｔ＝０とｔ＝−ｎ／Ｔad)の両端のデータの差は殆ど無い。更に指が外光取り入れ口に近づき、照度センサの出力が大きく落ち込み始めた時点を(2)とすると、この時点での両端のデータの差も一定値以下だったとすると、マイコンＩＣ3の出力には変化が生じない(つまり、マイコンＩＣ3からは決められた指令を出力することはない)。更に、指が外光取り入れ口をほぼ完全に塞ぎはじめた時点を(3)とすると、この時点では両端のデータの差が一定値を越す。この時の−ｎ／Ｔad時のデータを保存しておく。またマイコンのタイマ機能を動作させて−ｎ／Ｔad時のデータとほぼ一致するまでの時間を計測する。外光取り入れ口の指が離れると照度センサＩＣ4の出力は復帰状態となる。図９の(4)が復帰した時点とし、(3)から(4)間の経過時間が比較的短時間ｔ秒(例えば２秒)であれば、明らかに照度センサＩＣ4が指等で意識的に塞がれたと判定できる。このように、ＡＤ変換データ処理(センサ出力の急激な降下検出)と復帰までの経過時間の制約を満足したら、マイコンＩＣ3は照度センサＩＣ4が指で塞がれたと判断し、マイコンＩＣ3は決められた動作出力(指令信号)を立ち上げることになる。
【００１７】
即ち、照度センサＩＣ4の出力変動を現時点のＡＤ変換データとｎ／Ｔad時間前のＡＤ変換データとの差で検定することでその差が一定値を超えたとの判定と、所定のｔ秒程度の短時間で元の値に戻ったとの判定ができれば、操作目的の照度変化特性が検出されたとして所定のコマンドを立ち上げることが確実に行える。
【００１８】
このように、照度センサを利用してツマミ類を一切必要としないで、マイコンに調色指示等の命令入力(コマンド)を与えることができる照度センサによる照明点灯制御方法を実現することができる。
【００１９】
制御部としてのマイコンは、照明用３色ＬＥＤ群２０の各３色ＬＥＤをスイッチング素子で点灯制御し、そのスイッチングパルス幅のデューテイ比を可変することで、照明用３色ＬＥＤ群２０の発光色を混合させて調色する。Ｒ，Ｇ，Ｂの２色又は３色の混合色のほかに、単色又は混合色の明るさ又は暗さを変えたライト色又はグレー色を生成することも可能である。
【００２０】
３色のＬＥＤの発光色を混色する割合は、具体的には次のような方法による。  
(1)各色に相当する可変抵抗ＶＲを可変してそれによって変化するＶＲ電圧をマイコンに取り込んでＡＤ変換し、各色ごとに明るさのデューティ比をＮ段階で表し、各色ごとのＡＤ変換値をＰＷＭ(パルス幅変調)に対応させる方法
(2)各色ごとに明るさのデューティ比をＮ段階で表し、モメンタリ型のスイッチを一回押すたびにデューティ比がインクリメントされ、発光色を混合させた混合色を決定する方法
混合色の設定は、設定モード時に上記の方法で何色かを設定し、３色の各色毎のＮ段階のデューティ比をマイコンのＲＡＭ領域に書き込み記憶させる。
【００２１】
本発明の実施形態は、好みの色を光の３原色Ｒ，Ｇ，Ｂに分解し、各色ごとに明るさのＰＷＭデューティ比を記憶し、好みの色の呼び出しを照明器具内に実装されている人感センサと周辺環境照度センサを利用して行える調色型ＬＥＤ照明器具を実現するものである。
【００２２】
［第１の実施形態］
図１は本発明の第１の実施形態に係る調色型ＬＥＤ照明器具の構成の一例を示す図である。図１に示す調色型ＬＥＤ照明器具１００は、電源部１０と、照明用ＬＥＤ群２０と、マイコンを含む制御部３０と、センサ部４０とを備えている。
【００２３】
電源部１０は、交流直流変換回路１１と、安定化直流電圧生成回路１２と、定電圧電源生成回路１３とを備えている。  
センサ部４０は、人感センサ回路４１と、照度センサ回路４２とを備えている。
【００２４】
電源部１０には、交流電源（ＡＣ）１００Ｖの交流電源入力端子０，１が配設され、かつ直流電源出力端子Ｖ27，Ｖ5，ＧＮＤが配設されている。ＧＮＤは基準電位点としてのグランド端子である。  
交流直流変換回路１１は、交流電源(ＡＣ)１００Ｖを全波整流ダイオードブリッジＤＢにて全波整流して交流を直流に変換する回路である。ＡＣラインフィルタＬ1およびコンデンサＣ１はＥＭＩ(電磁干渉)除去フィルタである。ＺＮＲは雷等で発生する過電圧による電子部品保護のために用いられるサージ吸収素子である。
【００２５】
安定化直流電圧生成回路１２は、フライバックトランスＴＲを用いたスイッチングレギュレータ回路であって、スイッチング回路ＩＣ１内には高耐圧型のパワーＭＯＳトランジスタが内蔵され、トランスＴＲの１次側の直流電圧を約１００ＫＨｚでスイッチングしており、トランスＴＲの２次側のファーストリカバリダイオードＤ１で整流された直流電圧を定電圧ダイオードＺＤ1と該定電圧ダイオードのアノード側に直列接続されたフォトカプラＰＣにてスイッチング回路ＩＣ１の発振周波数を制御することによって定電庄ダイオードＺＤ1で設定された一定の直流電圧がトランスＴＲの２次側に得られる。この２次側の直流電圧は負荷となる照明用ＬＥＤ群２０の直列接続されたＬＥＤの数に応じて定電庄ダイオードＺＤ1を選択することによって得られる。例えば照明用ＬＥＤ群２０の１つのＬＥＤの順方向電圧Ｖｆの値が３．３Ｖの場合で８個直列接続されている場合は３．３×８＝２６．４Ｖの印加電庄が必要となる。この場合、定電庄ダイオードＺＤ1として電圧２７Ｖを選択すればＴＲ２次側出力は２７Ｖとなり、ＬＥＤ群２０を点灯することが可能となる。トランスＴＲの１次側のダイオード回路Ｄ２は、高耐圧のファーストリカバリーダイオードと２００Ｖの定電庄ダイオードが各々のカソード同士が直接接続されて構成されており、スイッチング回路ＩＣ１のパワーＭＯＳトランジスタがオフ時にトランスＴＲの１次側に発生する電磁エネルギーによって当該パワーＭＯＳトランジスタが破壊されるのを防止するためのパワークランパとして機能する。
【００２６】
定電圧電源生成回路１３は、マイコンＩＣ3，人感センサ回路４１，及び照度センサ回路４２に定電圧電源を供給するための電圧生成回路である。ＩＣ２はプログラマブル・シャント・レギュレータであって、トランジスタＱ１のベース電圧を５Ｖに設定することでトランジスタＱ１の出力としてほぼ５Ｖの定電圧を得て、上述の３つの回路(ＩＣ3，４１，４２)に対する電源としている。
【００２７】
照明用ＬＥＤ群２０は、ＲＧＢ３色発光用のＬＥＤ(以下、３色ＬＥＤ)が複数個(図では８個)直列に接続された３色ＬＥＤの組が一組又は二組以上並列接続されている。図１では、８個直列に接続された３色ＬＥＤの組が二組並列に接続されている。トランジスタＱ2, Ｑ3, Ｑ4, Ｑ5はスイッチング素子としてのスイッチングトランジスタであり、パワーＭＯＳトランジスタでの構成例を示してある。 ＭＯＳトランジスタは直接マイコンＩＣ3でドライブできるメリットがある。
【００２８】
照明用ＬＥＤ群２０の各色ＬＥＤとスイッチング素子としてのトランジスタＱ2，Ｑ3，Ｑ4の各ドレインとが接続され(但しＱ3のドレインと赤色ＬＥＤ間には定電圧ダイオードＺＤ2が接続されている)、トランジスタＱ2，Ｑ3，Ｑ4の各ソースはゲートはグランド端子GNDに接続され、トランジスタＱ2，Ｑ3，Ｑ4の各ゲートはそれぞれ抵抗Ｒ21，Ｒ22，Ｒ23を介してグランド端子GNDに接続されている。なお、後述するが、トランジスタＱ2，Ｑ3，Ｑ4のうちの赤色用ＬＥＤの低い順方向電圧Ｖfを補正するために赤色ＬＥＤに直列に定電圧ダイオードＺＤ2が接続されている。
【００２９】
制御部３０に含まれるマイコンＩＣ3は、照明用３色ＬＥＤ群２０の各色ＬＥＤをスイッチング素子としてのトランジスタＱ2, Ｑ3, Ｑ4で点灯制御し、そのスイッチングパルス幅のデューテイ比を可変することによって、３色ＬＥＤ群２０の発光色を混合させて調色することができる。すなわち、通常は、マイコンＩＣ3からＰＷＭ制御信号をトランジスタＱ2〜Ｑ4の各ゲートに供給し、３色を好みの色に点灯(設定色点灯)させるために、トランジスタＱ2, Ｑ3, Ｑ4をスイッチングパルス幅でオンさせ、予め記憶させた各色毎のＰＷＭのデューティ比を実行させて３色ＬＥＤ群２０を好みの色で点灯させることになる。
【００３０】
制御部３０は、照明用３色ＬＥＤ群２０が予め設定してある設定色で点灯している状態で、人感センサＰＥＤが周囲環境照度がある照度値以下で人を検知すると、人を検知後の所定期間は照明用３色ＬＥＤ群２０を白色で点灯し、所定期間経過後は元の設定色で点灯するように制御する点灯制御部と、照度センサＩＣ4の出力を監視し、その出力が急変することを捉えて照明用３色ＬＥＤ群２０の前記設定色を変更するコマンドを生成する点灯状態設定部と、を備えている。
【００３１】
照明用ＬＥＤ群２０の各色ＬＥＤとスイッチング素子としてのトランジスタＱ5のドレインとの間には、端子Ｂ，Ｒ，Ｇを介してＢＲＧ各色の電流調整用直列抵抗Ｒ24, Ｒ25, Ｒ26が接続されている。トランジスタＱ5がオンしたとき色座標Ｘ＝３０、Ｙ＝３０の白色になるように抵抗値Ｒ24, Ｒ25, Ｒ26が選ばれている。ここで、赤色のＬＥＤの順方向電圧Ｖｆが緑色や青色のＬＥＤの順方向電圧より低い値となるため、３色ＬＥＤの各色ＬＥＤには電源端子Ｖ27の電圧が共通に印加されるので赤色の低い順方向電圧Ｖｆを補正するために赤色ＬＥＤに直列に定電圧ダイオードＺＤ3が挿入接続されている。
【００３２】
トランジスタＱ5をオンして白色の点灯色を選択するのは特殊の場合(例えば後述する人感センサが人を検知したとき)であって、ＬＥＤ群２０を白色点灯する場合は、マイコンＩＣ3からオン制御信号をトランジスタＱ5のゲートに供給することにより実現できる。
【００３３】
なお、トランジスタＱ5側のＢＧＲの各端子とトランジスタＱ2〜Ｑ4側のＢＧＲの各端子とは、図示上で配線が見にくくなるのを避けるために分離しているが、ＢＧＲの２組の端子は常時共通に接続している。他の端子ＪＩＮ，ＰＤＳＷ，ＴＭＳＷについても同様である。
【００３４】
図１の実施形態では、スイッチＳＷ１がオン時(図示の時)、色設定モードとなり、ＲＧＢ用可変抵抗ＶＲ1, ＶＲ2, ＶＲ3を可変させて、色決定用のスイッチＳＷ３をオンさせて各色ごとにＮ段階に分割された各色デューティ比に対応した値をマイコンＩＣ3のＲＡＭ領域に書き込み記憶させる。実施形態では好みの色を例えば３通り作成でき、それぞれの領域に色を記憶させるとパイロットインジケータＬＥＤ1 , ＬＥＤ2, ＬＥＤ3が点灯して各色の記憶状態を表示させる。すなわち、３通りの好みの色を作成する過程では、１つの好みの色を作成し記憶させるとパイロットインジケータＬＥＤ1が点灯し、次の別の好みの色を作成し記憶させるとパイロットインジケータＬＥＤ2が点灯し、更に次の別の好みの色を作成し記憶させるとパイロットインジケータＬＥＤ3が点灯して、結果として３通りの好みの色が作成されていることを外部に対して表示できることになる。
【００３５】
スイッチＳＷ１のオフ時、記憶させた色で点灯させるモードとなる。  
設定した３通りの点灯色の呼び出しは、照度センサＰＤ１の採光口を指で一瞬押さえ外光を遮断して指を採光口から離す行為を行うことをＰＤタッチと呼称し、ＰＤタッチが呼び出しのコマンドとなる。このとき、記憶した３通り(ａ，ｂ，ｃ)のどれを呼び出すかは、パイロットインジケータが点滅状態となったＬＥＤに対応した点灯の状態(例えばａ)が選択されたことを示し、ＰＤタッチを繰り返せば、パイロットインジケータの点滅は順次送られて他の点灯状態(ｂ，ｃ)が選択されるようになっている。
【００３６】
人感センサ出力信号と照度センサ出力信号もマイコンＩＣ3に直接入力されている。人感信号の有意性や照度センサの値の判定のため各入力はＡＤ変換され、所定の閥値と比較される。スイッチＳＷ２はＬＥＤ点灯照度の閥値を外部スイッチで切り替えている。スイッチＳＷ2がオン時は周辺環境照度が３０ＬＸ以下でＬＥＤ群を点灯させるし、オフの場合は、ＬＥＤ群を１０ＬＸ以下で点灯させるというように、本願の照明器具の設置される環境によってスイッチＳＷ２を切り替えて有効な点灯照度値を選択することができる。
【００３７】
可変抵抗ＶＲ4は、ＬＥＤ点灯時間を選択する可変抵抗器であって、点灯時間の設定を行う。点灯時間の設定はスライドスイッチを使用して一定の時間を選択する方法や、デジタル型ロータリスイッチと同様にして時間の設定を行ってもよい。
【００３８】
人感センサ回路４１は人感センサとして焦電センサを用いて構成されている。焦電センサは人体の放出する赤外線を選択的に取り込み、その結果センサに発生した電荷を電流に変え、内部に実装されたＦＥＴ(電界効果トランジスタ)で電圧変換された信号を２段で６０〜７０ｄｂ程度増幅し、その出力はマイコンＩＣ3のＡＤ変換人力端子に接続されている。
【００３９】
人感センサＰＥＤは、第１〜第３の３本の端子を備えており、第１の端子には前記定電圧電源生成回路１３の出力端子Ｖ5の出力電圧を抵抗Ｒ5を介して接続し、第３の端子には基準電位ＧＮＤのラインが接続し、第２の端子からは、熱線を検出した時にこれに対応した微弱な検知電圧がセンサ出力として出力される。センサ出力は、抵抗Ｒ6と、抵抗Ｒ7及びコンデンサＣ9の並列回路からなる入力回路を経てオペアンプＯＰ1，コンデンサＣ6，Ｃ8，抵抗Ｒ8，Ｒ9からなる第１段増幅部で増幅され、さらに抵抗Ｒ10，コンデンサＣ7，オペアンプＯＰ2，コンデンサＣ10，抵抗Ｒ11，抵抗Ｒ12，抵抗Ｒ13からなる第２段増幅部で増幅されることによって数千倍に増幅出力される。
【００４０】
照度センサ回路４２は、フォトダイオードと電流増幅回路を有するＩＣ型照度センサＩＣ4を利用した回路であって、照度センサＩＣ4の負荷の抵抗Ｒ14の両端の電圧は先述のマイコンＩＣ3のＡＤ変換人力端子に接続される。照度センサＩＣ4は周辺の明るさが明るい程センサの出力電流が増加するタイプである。
【００４１】
照明器具１００は、マイコンＩＣ3に接続されたスイッチＳＷ4がオフの場合、人感センサ回路４１の出力有無に応じて照明用ＬＥＤ群２０の点灯色が変化する。人感センサ回路４１の出力有りではＬＥＤ群２０の点灯色は白色とされ、人感センサ回路４１の出力無しではＬＥＤ群２０の点灯色はユーザが設定した好みの色となる。
【００４２】
照度切替用スイッチＳＷ2がオンしているとすると、照度センサ回路４２の出力が例えば３０ＬＸ以下になった時点で、設定された色調でＬＥＤ群２０が点灯する。そして、このように照明用ＬＥＤ群２０が設定された好みの色で点灯している状態で、人感センサＰＥＤで人を検知すると、トランジスタＱ2，Ｑ3，Ｑ4がオフし、トランジスタＱ5がオンしてＬＥＤ群２０が白色で点灯し、かつマイコンＩＣ3に接続された可変抵抗ＶＲ4で設定されたタイマ時間だけで点灯し、タイムアップした後は再び元の好みの色で点灯する。３０Ｌｘ以下で常時点灯するＬＥＤ群２０の色調は、照度センサ回路４２の照度センサ用採光部を指で一定時間押さえること(即ち、ＰＤタッチ)によってこの操作が色調切替え指令となって、色調の変更が可能となる。
【００４３】
次に、図２及び図３を参照してマイコンの制御動作を説明する。  
図２は第１の実施形態の人感切替点灯式の調色型ＬＥＤ照明器具における、制御部としてのマイコンの制御プログラムのフローチャートの一例を示している。  
電源が投入されると、１５秒間ウォーミング(白色点灯)を行う(ステップＳ1)。
【００４４】
ウォーミング後、予め設定されている発光色(設定色という)に変わる(ステップＳ2)。このときのステップＳ2の機能は第１の点灯制御部を構成している。ここで、設定色点灯は、ＬＥＤ照明器具を購入して初めての電源投入時(初期状態)では白色点灯するが、本制御フローを少なくとも一巡する過程でＰＤタッチの操作によって電源投入後の常時の照明用３色ＬＥＤ群２０の点灯色が設定される。好みの設定色で点灯させたいときには、マイコンＩＣ3内のメモリには予め調整された設定色(調色ともいう)の混色データ(ＲＧＢの混合割合のデータ)を複数種類記憶しておき、複数の設定色の中から好みの設定色をＰＤタッチによる呼び出し指示があるごとに順次に呼び出して好みの設定色を呼び出して点灯する。ここで、ＰＤタッチによる設定色の呼び出し指示は、設定色としての複数色例えば黄緑色、橙色、白色の３色の中から順に呼び出して設定することが可能である(但し、照明器具購入時の初期設定は白色としてある)。
【００４５】
このように常時の電源投入時に予め設定してある設定色例えば黄緑色点灯で設定色点灯した状態で、次のステップＳ3に移行する。ステップＳ3では、設定モード切替えスイッチＳＷ1を用いて、色設定(色登録)のための色設定モードか、記憶させた設定色での点灯を行う点灯モードかの切替えを行う。
【００４６】
設定モード切替えスイッチＳＷ1にて色設定モードに入った時、マイコンＩＣ3は、現在点灯しているすでに設定された点灯色のパイロットインジケータＬＥＤが点滅する(ステップＳ4)、設定色を変更するためＲＧＢ用可変抵抗ＶＲ1, ＶＲ2, ＶＲ3を可変させ、各ＶＲの出力値をＡＤ変換する(ステップＳ5)。これによって、変更させた色で点灯する(ステップＳ6)。そして、色決定用スイッチＳＷ3をオンさせてＮ段階に分割されたデューティ比に対応した各色出力値を決定し(ステップＳ7)、マイコンＩＣ3のＲＡＭ領域に書き込み記憶させる(ステップＳ8)。マイコンに記憶(登録)させることによって、変更した設定色の各パイロットインジケータＬＥＤを１．５秒ほど点灯させて(ステップＳ9)、次のパイロットインジケータＬＥＤを点滅させて(ステップＳ10)、ステップＳ3へリターンする。パイロットインジケータはリング式となっており、１→２→３→１と順次送られ、３色のデータが記録される。
【００４７】
一方、ステップＳ3において、設定モード切替えスイッチＳＷ1にて点灯モードとし、登録(記憶)した色を含んだ複数の発光色のうちのどれかで点灯する点灯モードに切り替えたときは、ステップＳ11以降のステップへ移行する。
【００４８】
ステップＳ11では、点灯照度切替えスイッチＳＷ2で人感動作を開始するために必要な暗さの周辺環境照度(閾値)を適宜に切り替える設定を行う。
【００４９】
点灯照度切替えスイッチＳＷ2はＬＥＤ照明器具１００の設置される環境に応じて明照度環境での点灯か又は暗照度環境での点灯かの有効な点灯照度の閾値を選択するものであって、スイッチＳＷ2がオンし明照度の所定値以下に設定された時(例えば３０ＬＸ以下に設定された時)は、周辺環境照度が明照度の所定値以下(ステップＳ12)で照明用ＬＥＤ群２０を点灯させ、スイッチＳＷ2がオフし暗照度の所定値以下に設定された時(例えば１０ＬＸ以下に設定された時)は、周辺環境照度が暗照度の所定値以下(ステップＳ13)でＬＥＤを点灯させるようにする。
【００５０】
ステップＳ12又はステップＳ13で明照度所定値以下か暗照度所定値以下かの一方が選択された後に、その選択感度(閾値)で人感検知が実行されたか否かを判定する(ステップＳ14)。ステップＳ14で、人が来て人感検知動作に入れば、ステップＳ2での例えば黄緑色点灯の状態を白色点灯に切り替えて点灯する(ステップＳ15)。
【００５１】
ステップＳ15の白色点灯の実行と同時にタイマがスタートする(ステップＳ16)。このときのタイマ時間は、例えばロータリスイッチを用いて設定可能である。タイマ設定時間としては例えば１，５，１０，２０，３０，４０，５０，６０分のいずれかが選択可能である。
【００５２】
そして、ステップＳ17で、人感検知時にタイマがスタートしてから予め設定したタイマ時間に達した(即ちタイムアップした)か否かを判定する。ステップＳ17においてタイムアップしていない状態で人感検知(ステップＳ19)すれば、ステップＳ19ではタイマ時間に達しても人が近くに存在しているので、マイコンＩＣ3は人感センサＰＥＤの人感検知(ステップＳ19)によってリトリガされて、マイコンＩＣ3は再度タイマ(図示略)をリセットして(ステップＳ20)、白色点灯を持続する。このときのステップＳ3，Ｓ11〜Ｓ17，Ｓ19及びＳ20の機能は、第２の点灯制御部を構成している。
【００５３】
ステップＳ17においてタイムアップしていれば、照明負荷としての３色ＬＥＤ群２０を元の設定色状態である黄緑色点灯に戻す(ステップＳ18)。このときのステップＳ17及びＳ18の機能は、第３の点灯制御部を構成している。
【００５４】
一方、ステップＳ12，Ｓ13で周辺照度が予め設定した閾値の照度以下になっていない、或いは、ステップＳ14で人感センサＰＥＤが人を検知していない状態では、ユーザによるＰＤタッチがなされると(ステップＳ21)、登録色呼び出しのステップＳ22の動作へ進む。ステップＳ22での動作は、ＰＤタッチ後にはＰＤタッチ前の設定色から登録色呼び出しに従いワンステップ分の設定色切り替えが行われる。例えば現時点の黄緑色点灯から例えば橙色点灯に切り替えられて、その切り替えられた設定色で点灯する(ステップＳ23)。なお、ステップＳ22では、ＰＤタッチが所定時間内であれば、ＰＤタッチの度にリング式に例えば黄緑色(2)，橙色(3)，白色(1)が順次に選択され、選択された色光で点灯可能である。このときのステップＳ21〜Ｓ23の機能は、点灯状態設定部を構成している。
【００５５】
図３は図２におけるＰＤタッチルーチンＳ21のフローチャートの一例を示している。このフローチャートは、図１１の説明に関連した動作である。  
現時点のＡＤ変換データの値と現時点から１０／Ｔad前のＡＤ変換データの値(但しＴadはＡＤ変換のサンプリング周期)との電圧差が、０．５Ｖより小さいか否かを判定する(ステップＳ31)。ステップＳ31でノーであれば、ＡＤ電圧差が０．５Ｖ以上あり、照度センサの出力が急変したことを表しているから、ステップＳ32〜Ｓ37のＰＤ成功を判定するループを巡回して、ステップＳ37からステップＳ32に戻ったところでＰＤ成功が確認されれば、ＰＤタッチ成功(イエス)として、ステップＳ38に移ってＰＤフラグを1とし、ステップＳ39へ移行する。なお、ステップＳ31でＡＤ電圧差が、０．５Ｖより小さければ、照度センサ出力が急変していない即ちＰＤタッチではないとして、図２のメインフローへリターンする。
【００５６】
ステップＳ39では、例えばＰＤタッチの実施を考慮し、ユーザの指タッチの状態などによって照度センサの外光取り入れ口での光の遮蔽具合による照度センサ出力の変動の影響を防ぐ(ＰＤ誤動作対策)ために、１．５秒間は照度センサの検知動作を停止(マスキング)すると共に指操作の判定に用いるためにメモリ保存している照度値の１０個分のＡＤ変換サンプリング値をリセットする。そして、図２のメインフローへリターンする。
【００５７】
一方、ステップＳ32でＰＤタッチが不成立であれば、ステップＳ33へ進み、現在のＡＤ変換値の電圧が所定値(例えば０．３Ｖ)より小さいか否かの確認を行う(ステップＳ34)。なお、０．３Ｖは図１１に示したＰＤタッチ時の照度変化特性のセンサ値の凹状曲線の底部電圧に相当する値である。
【００５８】
ＡＤ変換値の確認後、現在操作している人が感知されるかどうかを確認するために人感センサによる人感検知を行う(ステップＳ34)。
【００５９】
次に、現時点のＡＤ変換値が現時点から１０個前のＡＤ変換値より大きいか否かを判定する(ステップＳ35)。ステップＳ35でイエスであれば、図１１のＰＤタッチ特性グラフから分かるように、その照度変化特性曲線(横軸に時間、縦軸に照度センサ値における凹状曲線)の凹底部の時点から時間経過に従って上がっていく特性部分(元の照度レベルに戻る部分)にきていることが分かるので、図３に示すフロー上のステップＳ35，Ｓ37，Ｓ32を通るループで複数回巡回する過程でステップＳ35を５回連続して通ったか否かを判定する(ステップＳ35)。
【００６０】
ステップＳ35で５回連続して通過していれば、ＰＤタッチが成功したもの(ステップＳ36)とし、次のＰＤタッチ処理における経過時間ｔ(これは図１１におけるｔと同じで、ｔ＝２秒に設定している)を経過したか否かを判定し(ステップＳ37)、２秒経過していれば、図２のメインフローへリターンする。
【００６１】
さて、本発明の実施形態では、照明器具の周囲に人が居るか否かを検知する人感センサを備え、この人感センサの検知動作の開始を周囲環境照度(どの位の暗さか)に基づいて制御を開始するかを決めるために照度センサが設けられている。  
調色型ＬＥＤ照明器具がユーザの好みの色で点灯している状態で、人感センサが周囲環境照度が或る照度値以下で人を検知すると、人を検知後の所定期間(タイマ時間)は人感センサ回路出力に基づきマイコンＩＣ3が照明負荷である３色ＬＥＤ群を白色で点灯し、所定時間(タイマ時間)経過後は元の好みの色で点灯できるように制御する。すなわち、電源スイッチのオンで、照明負荷であるＬＥＤを予め設定した好みの色で点灯(例えば黄緑色点灯)し、人が来てこれを人感センサが検知したときに３色ＬＥＤ群を白色で点灯させ、所定のタイマ時間を経過すると元の好みの色の点灯に戻るように制御する。この制御方法のことを、第１の点灯状態(例えば黄緑色点灯)から、人感検知時に第２の点灯状態(白色点灯)に切り替えるということから人感切替点灯式と呼ぶ。この制御方式は、夜間などに、例えば、常夜灯として応用できるものである。
【００６２】
或いは、人感センサは周囲環境照度が或る照度値以下で人を検知する人感検知動作を開始できるように制御されていて、人が居ないときは人を検知せず照明負荷である３色ＬＥＤ群を消灯状態のままとし、人が来て人感検知したときに３色ＬＥＤ群を予め設定した設定色の色光で所定時間点灯させ、所定時間経過後は消灯状に戻るように制御する。この制御方式を、人感で点灯，消灯するということから人感点灯式と呼ぶ。
【００６３】
［第２の実施形態］
本発明の第２の実施形態に係る調色型ＬＥＤ照明器具の構成例は、図１の第１の実施形態に係る調色型ＬＥＤ照明器具の構成例と同じであるため、図示を省略する。
【００６４】
本第２の実施形態が第１の実施形態と異なる点は、第１の実施形態の調色型ＬＥＤ照明器具が人感切替点灯式であるのに対して、本第２の実施形態の調色型ＬＥＤ照明器具は人感点灯式となっていることである。従って、本第２の実施形態と第１の実施形態とは、制御部であるマイコンの制御プログラムが互いに異なってくる。
【００６５】
制御部３０は、照明用３色ＬＥＤ群２０が消灯している状態で、人感センサＰＥＤが周囲環境照度がある照度値以下で人を検知すると、人を検知後の所定期間は照明用３色ＬＥＤ群２０を予め設定してある設定色で点灯し、所定期間経過後は元の消灯状態とするように制御する点灯制御部と、照度センサＩＣ4の出力を監視し、その出力が急変することを捉えて照明用３色ＬＥＤ群２０の前記設定色を変更するコマンドを生成する点灯状態設定部と、を備えている。
【００６６】
制御部３０の制御動作について説明する。  
制御部３０におけるマイコンＩＣ3に接続されたスイッチＳＷ4をオンにすると、常時３色ＬＥＤ群２０は消灯していて、人感センサ回路４１で人を検知し、照度センサ回路４２でスイッチＳＷ2で選択された３色ＬＥＤ群２０の点灯照度以下であれば、３色ＬＥＤ群２０が点灯する。このとき、３色ＬＥＤ群２０の点灯は予め選択された点灯色で点灯する。その点灯色を変更したければ、ＰＤタッチで容易に変更できる。このとき変更後の点灯色が次回以降再現される。
【００６７】
３色ＬＥＤ群２０の点灯時間は可変抵抗ＶＲ4で選択された時間だけ点灯し、タイムアップ後は消灯する。
【００６８】
図４は第２の実施形態の人感点灯式の調色型ＬＥＤ照明器具における、制御部としてのマイコンの制御プログラムのフローチャートの一例を示している。  
まず、ステップＳ51で、全点灯を１５秒間実施して全消灯するウォーミング(白色点灯)を行う。  
このようにウォーミング後には消灯状態で、次のステップＳ52に移行する。ステップＳ52では、設定モード切替えスイッチＳＷ1を用いて、色々な色光を予め記憶(登録)するための色設定モードか、記憶させた色光での点灯を行う点灯モードかのモード切替えのステップとなる。通常は点灯モード状態である。
【００６９】
設定色を実施したいとき、設定モード切替えスイッチＳＷ1により色設定モードに入る。このとき現在点灯しているすでに設定された点灯色のパイロットインジケータＬＥＤを点滅させ(ステップＳ53)、設定色を変更するためＲＧＢ用可変抵抗ＶＲ1, ＶＲ2, ＶＲ3を可変させ、各ＶＲ出力値をＡＤ変換する(ステップＳ54)。これによって、Ｒ，Ｇ，Ｂ出力それぞれのＰＷＭデューティ比を変更し、変更させた色で点灯する(ステップＳ55)。そして、色決定用スイッチＳＷ3をオンさせてＮ段階に分割されたデューティ比に対応した各色出力値を決定し(ステップＳ56)、マイコンＩＣ3のＲＡＭ領域に書き込み記憶(登録)させる(ステップＳ57)。マイコンに記憶させることによって、変更した設定色の各パイロットインジケータＬＥＤを１．５秒ほど点灯させて(ステップＳ58)、次のパイロットインジケータＬＥＤを点滅させる(ステップＳ59)。パイロットインジケータはリング式になっており、１→２→３→１と順次送られ、３色のデータが登録される。
【００７０】
一方、ステップＳ52において、設定モード切替えスイッチＳＷ1によって点灯モードに入っている状態では、点灯照度切替えスイッチＳＷ2のオン／オフによって、ＬＥＤ照明器具１００が設置されている環境に応じて有効な点灯照度の閾値を選択できる(ステップＳ60）。スイッチＳＷ2がオンしている時は、周辺環境照度が明照度の所定値(例えば３０ＬＸ)以下(ステップＳ61)でＬＥＤ群２０が点灯され、スイッチＳＷ2がオフしているときは、周辺環境照度が暗照度の所定値(１０ＬＸ)以下(ステップＳ62)でＬＥＤ群２０が点灯されることになる。ステップＳ51，Ｓ52，及びＳ60〜Ｓ62における、人感センサによって人を検知しないときに照明用３色ＬＥＤ群２０を消灯させる機能は、第４の点灯制御部(請求項２では第１の点灯制御部)を構成している。
【００７１】
ステップＳ61又はステップＳ62で明照度の所定値以下か暗照度の所定値以下かの一方が選択された後に、その選択された感度(閾値)で人感検知が実行され(ステップＳ63)、人感検知が実行されると予め設定した設定値での設定色点灯を行う(ステップＳ64)。ここで点灯される設定色は、後述のステップＳ70などに示すＰＤタッチによって、例えば黄緑色、橙色、白色からのいずれかの色光に設定(但し初期設定は白色)が可能である。
【００７２】
ステップＳ64での設定色点灯の開始と共にタイマがスタートする(ステップＳ65)。タイマ時間は、例えばロータリスイッチを用いて設定可能であり、タイマ設定時間として例えば１，５，１０，２０，３０，４０，５０，６０分が選択可能となっている。
【００７３】
そして、ステップＳ66において、タイマがスタート(ステップＳ65)してから設定したタイマ時間に達したか否かを判定する。ステップＳ66で、タイムアップする前に人感検知判定(ステップＳ68)が行われて、その結果人が検知されて、マイコンＩＣ3がリトリガがされれば、そのタイミングでタイマをリセットして(ステップＳ69)、設定色点灯を継続する。ステップＳ52，Ｓ61〜Ｓ66，Ｓ68及びＳ69の機能は、第５の点灯制御部(請求項２では第２の点灯制御部)を構成している。
【００７４】
ステップＳ66でタイムアップしていれば、照明負荷としてのＬＥＤ群２０を消灯する(ステップＳ67)。このときのステップＳ66及びＳ67の機能は、第６の点灯制御部(請求項２では第３の点灯制御部)を構成している。
【００７５】
例えばステップＳ68及びＳ69のように、設定色点灯を継続して行っている状態で、ユーザがＰＤタッチを行う(ステップＳ70)と、ＰＤタッチの登録色呼び出し指示に基づきリング式に例えば黄緑色，橙色，白色の設定色が順次に選択され(ステップＳ71)、選択された色光が点灯可能である(ステップＳ72)。このときのステップＳ70〜Ｓ72の機能は、点灯状態設定部を構成している。
【００７６】
図５は図４におけるＰＤタッチルーチンＳ69のフローチャートの一例を示している。図５のフローチャートは、図３のＰＤタッチルーチンＳ21と同様であるので、図５の各ステップの符号を図３の各ステップの符号と同じにして説明を省略している。
【００７７】
[第３の実施形態]
本発明の第３の実施形態に係る調色型ＬＥＤ照明器具の構成例は、図１２に示すスイッ
チ構成以外は図１及び図４の実施形態と同様であるため、図示を省略する。  
本第３の実施形態が第１又は２の実施形態と異なる点は、照度センサの採光口を指で塞
ぐＰＤタッチに代えて、プッシュスイッチ等の機械的スイッチの操作(押下)に基づき照明
用ＬＥＤ群の設定色を変更するコマンドを生成する制御を行う点にある。
【００７８】
具体的には、図１２に示すように制御部３０のマイコンＩＣ3の周辺部分に機械的スイッチＳＷ5を配設した構成とする。すなわち、直流電源端子Ｖ5と基準電位点(グランド)ＧＮＤとの間に抵抗Ｒ30と機械的スイッチＳＷ5とを直列に接続し、抵抗Ｒ30と機械的スイッチＳＷ5の接続点の電圧をマイコンＩＣ3の入力端子の１つに入力する構成とし、機械的スイッチＳＷ5をオン又はオフにすることによって、抵抗Ｒ30と機械的スイッチＳＷ5の接続点からローレベル又はハイレベルの制御信号をコマンドとして出力させる。
【００７９】
制御部３０の制御動作について説明する。  
人感切替点灯式の場合には、制御部３０は、照明用３色ＬＥＤ群２０が予め設定してある設定色で点灯している状態で、人感センサＰＥＤが周囲環境照度が或る照度値以下で人を検知すると、人を検知後の所定期間は前記照明用３色ＬＥＤ群２０を白色で点灯し、所定期間経過後は元の設定色で点灯するように制御する。加えて、機械的スイッチの操作に基づき照明用３色ＬＥＤ群２０の前記設定色を変更するコマンドを生成する制御動作を行う。
【００８０】
また、人感点灯式の場合には、制御部３０は、照明用３色ＬＥＤ群２０が消灯している状態で、人感センサＰＥＤが周囲環境照度が或る照度値以下で人を検知すると、人を検知後の所定期間は照明用３色ＬＥＤ群２０を予め設定してある設定色で点灯し、所定期間経過後は元の消灯状態とするように制御する。加えて、機械的スイッチの操作に基づき照明用３色ＬＥＤ群２０の前記設定色を変更するコマンドを生成する制御動作を行う。
【００８１】
このように、照度センサとは別に設けた機械的スイッチの操作を行うことによって、周囲の光の影響を受ける虞がなくＬＥＤ群の設定色を変更するコマンドを容易に生成することが可能である。
【００８２】
以上述べた本発明の実施形態によれば、３色のＬＥＤを利用した照明器具でＬＥＤ点灯時の点灯色を何通りかの好みの色を予め設定し、且つ記憶させることができ、３色ＬＥＤを照明器具に内蔵された人感センサと照度センサの制御で好みの色で呼び出し点灯させることができ、さらに点灯色を別の好みの色に変えることができる。また、ＰＤタッチによれば、外部の赤外線リモコン等を利用せず、また、特別な部品を追加することなく、直接、照明器具に内蔵された周辺環境照度センサの採光部を一定時間指でタッチするだけで、所望の設定色点灯の指令をＬＥＤ照明器具に伝えることができる。照度センサ採光部の外表面(壁面など)には電気を利用する部品はなく、水に濡れた手であっても指操作が安全に行える利点もある。さらに、設定色の変更指示を、ＰＤタッチに代えて、機械的スイッチを用いて行う構成とすれば、照度センサ用のＰＤタッチによる利点はなくなるが、周囲の光の影響を受けにくいために制御用のマイコンのプログラムを簡素化できる利点がある。ＬＥＤの設定色点灯は照明器具に内蔵された既設の人感センサと照度センサを用いて人感切替点灯式または人感点灯式で制御でき、消費電力の低減及び部品コストの低減を図ることが可能である。
【符号の説明】
【００８３】
１０…電源部、２０…照明用３色ＬＥＤ群、３０…制御部、４０…センサ部、ＩＣ3…マイコン、ＩＣ4…照度センサ、ＰＥＤ…人感センサ、１００…調色型ＬＥＤ照明器具。
【図１】
0005937329.tif 000002
【図２】
0005937329.tif 000003
【図３】
0005937329.tif 000004
【図４】
0005937329.tif 000005
【図５】
0005937329.tif 000006
【図６】
0005937329.tif 000007
【図７】
0005937329.tif 000008
【図８】
0005937329.tif 000009
【図９】
0005937329.tif 000010
【図１０】
0005937329.tif 000011
【図１１】
0005937329.tif 000012
【図１２】
0005937329.tif 000013